(57)【要約】 【課題】片手で操作と洗濯物の把持とが同時にでき構造が簡易な洗濯ばさみを得ること。【解決手段】上端部より一方側に僅か下方の境界線から下に伸びるばね部と、前記境界線に連設され上端部を経て他方側に前記ばね部と内面が向合って下に帯状に伸びる固定部とを有し、前記固定部は剛性をもち頂部内面下側に指が出入り可能な空間が確保され、前記ばね部は基板から下方へ中間に略長方形状の空隙をおき左右対称の略短冊状一対の可撓片よりなり、前記各可撓片の自由端部を互いに寄せ重ね合わせ部分を連結し、前記ばね部及び固定部の自由端部は前記可撓片の内側への加圧によって互いに離隔し該可撓片外側への加圧によって互いに加圧保持可能とされている洗濯ばさみ。【選択図】図１
0003118925.tif 000002
【実用新案登録請求の範囲】
【請求項１】
上端部より一方側に僅か下方の境界線から下に伸びるばね部と、前記境界線に連設され上端部を経て他方側に前記ばね部と内面が向合って下に帯状に伸びる固定部とを有し、前記固定部は剛性をもち頂部内面下側に指が出入り可能な空間が確保され、前記ばね部は基板から下方へ中間に略長方形状の空隙をおき左右対称の略短冊状一対の可撓片よりなり、前記各可撓片の自由端部を互いに寄せ重ね合わせ部分を連結し、前記ばね部及び固定部の自由端部は前記可撓片の内側への加圧によって互いに離隔し該可撓片外側への加圧によって互いに加圧保持可能とされていることを特徴とする洗濯ばさみ。
【請求項２】
プラスチック製の固定部と金属板ばね製のばね部を境界線付近で接合したことを特徴とする請求項１に記載の洗濯ばさみ。
【請求項３】
一方縁側に開口を有するキャップへ可撓片自由端部の重ね合わせ部分を挿入して固着し、固定部の自由端部を前記キャップと対面可能に形成したことを特徴とする請求項１又は２に記載の洗濯ばさみ。
【請求項４】
固定部及びばね部がプラスチック製で一体に成形され、一方の可撓片の自由端部外側表面に対称縦割り形状の頭付き小突起が突設され、他方の可撓片の自由端部の前記頭付き小突起の対応位置に小孔が穿設され、前記各可撓片の自由端部を互いに寄せ重ね合わせ部分において前記小孔に前記頭付き小突起を貫通して該各可撓片を連結したことを特徴とする請求項１に記載の洗濯ばさみ。
【請求項５】
ばね部及び固定部の自由端部の対面する面の一方又は両方に小凹凸面が形成されていることを特徴とする請求項１〜４のいずれかに記載の洗濯ばさみ。
【考案の詳細な説明】
【技術分野】
【０００１】
本考案は、洗濯物を干すとき等に用いる洗濯ばさみの改良に関する。
【背景技術】
【０００２】
従来の洗濯ばさみは、支点で交差する一対の腕片をねじりコイルばねで加圧し、使用時には指で腕片をばねの加圧に抗して開き、洗濯物を挟込む構造で、その構造は簡単で広く普及し汎用されている。
【考案の開示】
【考案が解決しようとする課題】
【０００３】
しかし、汎用されている従来の洗濯ばさみでは、腕片を加圧に抗して開くのに力を要し片手はとられてしまうため、他方の手で洗濯物を把持し、両手をフルに使わないと円滑に早く洗濯物を干すことができない。
これに対し本考案は、片手で操作と洗濯物の把持とが同時にでき、他方の手は自由に使うことができ、構造が簡易な洗濯ばさみを得ることを目的とする。
【課題を解決するための手段】
【０００４】
この目的を達成するために、請求項１の考案にあっては、
上端部より一方側に僅か下方の境界線から下に伸びるばね部と、前記境界線に連設され上端部を経て他方側に前記ばね部と内面が向合って下に帯状に伸びる固定部とを有し、前記固定部は剛性をもち頂部内面下側に指が出入り可能な空間が確保され、前記ばね部は基板から下方へ中間に略長方形状の空隙をおき左右対称の略短冊状一対の可撓片よりなり、前記各可撓片の自由端部を互いに寄せ重ね合わせ部分を連結し、前記ばね部及び固定部の自由端部は前記可撓片の内側への加圧によって互いに離隔し該可撓片外側への加圧によって互いに加圧保持可能とされている洗濯ばさみにより解決した。
請求項２の考案にあっては、プラスチック製の固定部と金属板ばね製のばね部を境界線付近で接合した請求項１に記載の洗濯ばさみとすることができる。
請求項３の考案にあっては、一方縁側に開口を有するキャップへ可撓片自由端部の重ね合わせ部分を挿入して固着し、固定部の自由端部を前記キャップと対面可能に形成した請求項１又は２に記載の洗濯ばさみとすることができる。
請求項４の考案にあっては、固定部及びばね部がプラスチック製で一体に成形され、一方の可撓片の自由端部外側表面に対称縦割り形状の頭付き小突起が突設され、他方の可撓片の自由端部の前記頭付き小突起の対応位置に小孔が穿設され、前記各可撓片の自由端部を互いに寄せ重ね合わせ部分において前記小孔に前記頭付き小突起を貫通して該各可撓片を連結した請求項１に記載の洗濯ばさみとすることができる。
請求項５の考案にあっては、ばね部及び固定部の自由端部の対面する面の一方又は両方に小凹凸面が形成されている請求項１〜４のいずれかに記載の洗濯ばさみとすることができる。
【考案の効果】
【０００５】
本考案の洗濯ばさみによれば、構造が簡易で、片手で操作と洗濯物の把持が同時にでき、他方の手は自由に使うことができるので使い勝手に優れている。
【考案を実施するための最良の形態】
【０００６】
本考案の実施の形態を図面を参照して説明する。
図１の（ａ）、（ｂ）は、本考案の一例の洗濯ばさみの洗濯物の非挟着時、挟着時の概略斜視図で、（ｃ・１）乃至（ｃ・４）は本洗濯ばさみに用いられるばね部の各変形例の組付け前の平面図である。（ｄ）は（ｃ・１）のばね部の組付け状態の平面図で、（ｅ）はキャップの平面図である。
図２は、本考案の一例の洗濯ばさみによる洗濯物を干すときの第一の挟着手順を示す概略斜視図の開始時及び終了時である。
図３は、本考案の一例の洗濯ばさみによる洗濯物を干すときの第二の挟着手順を示す概略斜視図の開始時及び終了時である。
図４は、図２、３に示す例の洗濯物の取外し手順を示す概略斜視図である。
図５は、本考案の他例の洗濯ばさみで、（ａ）ばね部変形例の組付け前の一部斜視図及び（ｂ）自由端側より視た拡大側面図である。（ｃ）は（ａ）ばね部変形例の組付け状態の一部斜視図で、（ｄ）は（ｃ）を自由端側より視た拡大側面図である。
以下においては、本考案の洗濯ばさみを洗濯物を挟着して干すとき、例えば物干し、ハンガー等に吊して使用する場合において、物干し、ハンガー等側を上、その反対側を下とし、洗濯物を挟着する側を内側としその反対側を外側として説明する。
【０００７】
図１（ａ）（ｂ）において、本考案の一例の洗濯ばさみ１は、上端部より一方側に僅か下方の二点鎖線で示す境界線ＸＸを始点として下方に伸びるばね部２と、前記境界線ＸＸで連設され上端部の頂部３ａを経て他方側にばね部２と内面同士が向合って下方に帯状に伸びる固定部３とを有し、ばね部２と固定部３とによって図１（ａ）と（ｂ）に示すように変化する二態様をもっている。
ばね部２は、組付け前において、例えば図１（ｃ・１）乃至（ｃ・４）に示すとおり各種のものがあるが、これらに限定されず変形可能である。
図１（ｃ・１）の例は、最もシンプルな構成で、ばね部２と固定部３の全体が金属又はプラスチック製であるが、このうちばね部２は板ばね製であって、略方形状の基板２ａから下方へ中間に略長方形状の空隙をおいて左右対称の略短冊状一対の可撓片２ｂ、２ｂよりなり、基板２ａと可撓片２ｂ、２ｂとで略逆Ｕ字形に形成されている。可撓片２ｂ、２ｂの自由端末は湾曲状にとるのが好ましい。この例では固定部３もばね部２と同じ金属又はプラスチック製であるが、ばね部２は可撓性が要求されるため板ばね製であるものの固定部３は剛性が要求されるので、選択する材料によって固定部３とばね部２とが一体に形成される場合と、別体に形成して前記境界線ＸＸ付近で接合する場合とがある。
図１（ｃ・２）の例は、固定部３をプラスチック製とし、ばね部２を金属の板ばね製とし、前記の境界線ＸＸ付近で接合したもので、ばね部２は略方形状の基板２ｃから下方に可撓片２ｄ、２ｄが一体に略逆Ｕ字形に形成され、可撓片２ｄ、２ｄは図１（ｃ・１）の例と同様左右対称の略短冊状一対である。可撓片２ｄの自由端末は湾曲状にとるのが好ましい。
図１（ｃ・３）の例は、固定部３をプラスチック製とし、ばね部２を、固定部３から一体成形した略方形状の基板２ｅから下方に中間に略長方形状の空隙をおいて左右対称の略短冊状一対の支持片２ｆ、２ｆと、その支持片２ｆ、２ｆ表面の長手方向対称位置に固着した略長方形状の金属の板ばね製の可撓片２ｇ、２ｇとにより構成している。支持片２ｆの自由端部は湾曲状にとるのが好ましい。
図１（ｃ・４）の例は、固定部３をプラスチック製とし、ばね部２を、図１（ｃ・３）の例と同様のばね部２の基板２ｅ及び支持片２ｆ、２ｆと、その支持片２ｆ、２ｆ表面の長手方向対称位置に固着した前記可撓片２ｇ、２ｇと同様の可撓片２ｈ、２ｈと、その可撓片２ｈ、２ｈの上端を繋いで基板２ｅ表面に固着した略長方形状の連結片２ｉとにより構成している。
上記図１（ｃ・２）乃至（ｃ・４）の例では金属の板ばね製の可撓片部分を斜線で表示してある。
【０００８】
次に、ばね部２の組付けを図１（ｃ・１）の例について説明する。図１（ｄ）に示すとおり、基板２ａから下方に伸びている可撓片２ｂ、２ｂの自由端部を中間の略長方形状の空隙に向かって左右両方から互いに寄せて重ね合わせ、重ね合わせ部分の略中央部を連結具２ｊにより連結して組付ける。連結手段は、リベット、ビス、接着・溶着等によるか、重ね合わせ部分の対向する面に互いに係合可能なフック状のものを設けて係合させるか等により、固着又は軸回りに回動可能な軸着のいずれであってもよい。
図１（ａ）（ｂ）（ｅ）に示す例では、可撓片２ｂ、２ｂの自由端部を左右両方から寄せて重ね合わせ、一方縁側に開口２ｍを有する略方形状のキャップ２ｋの該開口２ｍ内に重ね合わせ部分を挿入して固着しているが、この固着は圧入、接着又は溶着等による。ここではキャップ２ｋが使用されているが、これは必須の構成要素ではなく図１（ｄ）に示す状態のままであっても使用可能ではあるものの、美観上、洗濯物のより強固な挟着保持上からはキャップ２ｋを設けた方が好ましく、更にキャップ２ｋの一方面（後述するアーム３ｂ下端の自由端部３ｃと対面し圧接する面）を小凹凸面に形成すると洗濯物の把持、スリップ防止がより確実となり好ましい。
図１（ｃ・２）乃至（ｃ・４）の例についてのばね部２の組付けも、前記図１（ｃ・１）の例と同様にして重ね合わせて行うので、詳細説明は省略するが、図１（ｃ・３）（ｃ・４）の例では、可撓片が支持片の表面に固着されているので、重ね合わせ部分は可撓片と支持片を含んで形成される。
【０００９】
固定部３は、前記したとおりばね部２と内面同士が向合って下方に帯状に伸びているが剛性をもち、図１（ａ）に示す洗濯ばさみ１の洗濯物非挟着時にあってはばね部２とで一方に変形した略逆Ｕ字形状に形成され、図１（ｂ）に示す洗濯物挟着時にあっては縦長の略リング状に形成され、二態様に変化する。いずれの場合においても、頂部３ａ内面下側に少なくとも指が出入り可能な空間が確保され、頂部３ａから下方に伸びるアーム３ｂはばね部２と向合いその内面側は湾曲面とされている。
そして固定部３は、図１（ａ）及び（ｂ）のいずれの態様でも同じ形態に保持される必要があり剛性を要求されるので、可撓性を要求されるばね部２とは異なっている。このため固定部３の断面形状を全部又は部分的に溝形又はＩ形に形成して剛性をもたせることとしてもよい。アーム３ｂ外面側には指を当てやすくするために数個の波状の凹凸部３ｄを形成するのが好ましい。アーム３ｂの下端の自由端部３ｃは、図１（ａ）、（ｂ）の例では端末面がキャップ２ｋと対面可能な大きさの略方形状にとり、対面側の外面に洗濯物の把持を確実にしスリップ防止のための小凹凸面が形成されているが、これは好ましい構成で必須のものではなく、小凹凸面は自由端部３ｃとキャップ２ｋのいずれか一方に設けるかいずれもなくてもよい。又自由端部３ｃは対面する可撓片２ｂ、２ｂの自由端部との圧接によって洗濯物の把持が可能であれば単純な端面形状であってもよい。頂部３ａの最上端部には、鎖、フック等の吊下げ具３ｅを設けると物干し、ハンガー等の吊下げに便利で好ましい。
【００１０】
以上詳述したとおりの構成から本考案の洗濯ばさみ１は、ばね部２と固定部３とで図１（ａ）と（ｂ）に示す二つの態様をもっている。
すなわち、頂部３ａの境界線ＸＸより下方に伸びる可撓片２ｂ、２ｂは、自由端部を左右両方から寄せて重ね合わせ部分を固着して組付けられているために、可撓片２ｂ、２ｂの中央部内向き略垂直方向Ｙへの加圧によって図１（ａ）に示す態様となり、可撓片２ｂ、２ｂの中央部外向き略垂直方向Ｚへの加圧によって図１（ｂ）に示す態様となり、それぞれの態様が安定的に得られる。可撓片２ｂ、２ｂの加圧については、後述する第一、第二の挟着手順の所で詳述する。
ここで図１（ａ）に示す態様では、可撓片２ｂ、２ｂは表面よりみて凹状に保持され、そのため自由端部の重ね合わせ部分のキャップ２ｋは固定部３のアーム３ｂの自由端部３ｃとは離隔する位置におかれるから、洗濯ばさみ１は洗濯物を保持できず、洗濯物非挟着時の状態となる。
他方、図１（ｂ）に示す態様では、可撓片２ｂ、２ｂは表面よりみて凸状に保持され、そのためキャップ２ｋは固定部３のアーム３ｂの自由端部３ｃを圧接する位置におかれるから、洗濯ばさみ１の洗濯物挟着時の状態となる。
ここで、キャップ２ｋ及び／又は自由端部３ｃは設けていない場合でも、ばね部２の可撓片２ｂ、２ｂの自由端部と固定部３のアーム３ｂの自由端部とによって洗濯物の挟着及び非挟着状態が得られるが、キャップ２ｋ及び／又は自由端部３ｃを設けた方が洗濯物の把持がより確実となり好ましい。
【００１１】
次に、図２乃至図４に基づき、洗濯ばさみ１による洗濯物を干すときの挟着手順を説明する。
先ず第一の挟着手順として図２（ａ）に示すのは、開始時の図１（ａ）の状態に対応するが、視点が両図では異なっている。ここでは、図示しないハンガー又は物干しに吊下げ具３ｅを掛けた洗濯ばさみ１を用い、人差し指Ｆ２ と中指Ｆ３ を可撓片２ｂ、２ｂ外側に当てて支えながら、洗濯物Ｗをばね部２の可撓片２ｂ、２ｂ内面中央部に当て親指Ｆ１ で外側へ押出す。
図２（ｂ）に示すのは、終了時の図１（ｂ）の状態に対応する。ここで、親指Ｆ１ で外側へ押出された可撓片２ｂ、２ｂは外側へ凸状に変化し、キャップ２ｋは固定部３のアーム３ｂの自由端部３ｃに向合う位置におかれ、洗濯物Ｗがキャップ２ｋと自由端部３ｃ間に挟着され加圧保持される。
吊下げ具３ｅを備えていないときは、ハンガー又は物干しを頂部３ａの内面側に渡らせて用いることができる。
【００１２】
次いで第二の挟着手順として図３（ａ）に示すのは、開始時の図１（ａ）の状態に対応するが、視点は両図共同じである。ここでは、親指Ｆ１ の先端と腹を可撓片２ｂ、２ｂ外側に当てて支えながら、洗濯物Ｗをばね部２の可撓片２ｂ、２ｂ内面中央部に当て人差し指Ｆ２ で外側へ押出す。
図３（ｂ）に示すのは、終了時の図１（ｂ）の状態に対応する。ここで、人差し指Ｆ２ で外側へ押出された可撓片２ｂ、２ｂは外側へ凸状に変化し、キャップ２ｋは固定部３のアーム３ｂの自由端部３ｃの向合う位置におかれ、洗濯物Ｗがキャップ２ｋと自由端部３ｃ間に挟着され加圧保持される。
第一、第二の挟着手順共可撓片２ｂ、２ｂを外側に加圧して凸状に変化し、その結果洗濯物Ｗがキャップ２ｋと自由端部３ｃ間に挟着され加圧保持される。
【００１３】
図４に示すのは、前記図２（ｂ）、図３（ｂ）で説明した洗濯物Ｗがキャップ２ｋと自由端部３ｃ間に挟着保持された終了時の状態から、洗濯物Ｗを取外し元の開始時である図１（ａ）に示す洗濯物非挟着時の状態に復元する場合を示す。このときは、アーム３ｂの外側に人差し指Ｆ２ を当て、外側へ凸状に変化している可撓片２ｂ、２ｂの中央部を親指Ｆ１ の先端で内側へ押込むことにより、キャップ２ｋと自由端部３ｃが離れて洗濯物Ｗの挟着が解除され、元の開始時の状態に復元する。このとき中指Ｆ３ 、薬指Ｆ４ 及び小指Ｆ５ によってフリーとなった洗濯物Ｗを掴むことにより、取外された洗濯物Ｗが容易に保持可能で、片手で洗濯ばさみ１の操作と洗濯物の把持が同時にできる。
【００１４】
次に図５に示すのは、本考案の洗濯ばさみの変形他例であって、固定部とばね部２′とが共にプラスチック製で一体に成形されており、固定部その他前記した例と同じ構成については図示及び説明を省略する。図５（ａ）、（ｂ）は、ばね部２′の組付け前の状態を示し、ばね部２′はプラスチック製板ばねで、略方形状基板（図示省略）から下方へ中間に略長方形状の空隙をおいて左右対称の略短冊状一対の可撓片２′ｂ、２″ｂよりなり、前記ばね部２と同様に基板と可撓片２′ｂ、２″ｂとで略逆Ｕ字形に形成されている。
一方の可撓片２′ｂの自由端部外側表面（図５では上側）に、略きのこ状体を対称縦割りした形状の頭付き小突起２ｐ、２ｐが頭部を先端にし軸部を根元にして突設形成され、他方の可撓片２″ｂの自由端部の頭付き小突起２ｐ、２ｐの対応する位置に小孔２ｑが穿設されている。ここでフリー状態での頭付き小突起２ｐ、２ｐを合わせての径は、頭部は小孔２ｑ径より大きく、軸部は小孔２ｑ径より小さくとられている。
【００１５】
可撓片２′ｂ、２″ｂの自由端部を中間の略長方形状の空隙に向かって左右両方から互いに寄せて、可撓片２′ｂを内側にし、可撓片２″ｂを外側にして重ね合わせ、該重ね合わせ部分の略中央部にある小孔２ｑに頭付き小突起２ｐ、２ｐを圧入しようとすると頭部が小孔２ｑに擦られて僅かに変形縮小して小孔２ｑに貫通可能となる。貫通後、先端の頭部が可撓片２″ｂから外側に突出し軸部が小孔２ｑ内におかれて頭部は変形縮小前の大きさに復元して図５（ｃ）（ｄ）に示す状態となり、可撓片２′ｂと２″ｂとが互いに連結され、可撓片２″ｂは小突起２ｐ、２ｐ回りに僅かに回動可能に軸着される。
ここで、可撓片２″ｂの内側（図５では下面）は平坦にとられているが、重ね合わせる可撓片２′ｂの内側の固定部の自由端部と対面する側は前記２ｋと同じく小凹凸面を有する突起２′ｋを設けるのが洗濯物の把持を確実にしスリップ防止のために好ましい。そして本例は固定部及びばね部２′は共にプラスチック製であり、小凹凸面を有する突起２′ｋも可撓片２′ｂと一体に容易に成形可能であり、キャップ２ｋを用いて固着する他例に比し製造しやすい利点がある。
本例の洗濯ばさみによる洗濯物を干すときの挟着手順及び元の非挟着時の状態に復元するときの手順は、洗濯ばさみ１について前記したとおりであり詳細説明を省略する。
【産業上の利用可能性】
【００１６】
本考案は、洗濯物以外の物を挟着保持する場合にも使用可能である。
【図面の簡単な説明】
【００１７】
【図１】本考案の一例の洗濯ばさみで、（ａ）洗濯物非挟着時の概略斜視図、（ｂ）洗濯物挟着時の概略斜視図である。（ｃ・１）乃至（ｃ・４）は、（ａ）の洗濯ばさみに用いられるばね部の４種の変形例の組付け前の平面図である。（ｄ）は（ｃ・１）のばね部の組付け状態の平面図である。（ｅ）はキャップの平面図である。
【図２】本考案の一例の洗濯ばさみによる洗濯物を干すときの第一の挟着手順を示す概略斜視図で、（ａ）開始時、（ｂ）終了時である。
【図３】本考案の一例の洗濯ばさみによる洗濯物を干すときの第二の挟着手順を示す概略斜視図で、（ａ）開始時、（ｂ）終了時である。
【図４】図２、３に示す例の洗濯物の取外し手順を示す概略斜視図である。
【図５】本考案の他例の洗濯ばさみで、（ａ）ばね部変形例の組付け前の一部斜視図及び（ｂ）自由端側より視た拡大側面図である。（ｃ）は（ａ）ばね部変形例の組付け状態の一部斜視図で、（ｄ）は（ｃ）を自由端側より視た拡大側面図である。
【符号の説明】
【００１８】
１  洗濯ばさみ
２、２′  ばね部
２ａ、２ｃ、２ｅ  基板
２ｂ、２ｄ、２ｇ、２ｈ、２′ｂ、２″ｂ可撓片
２ｊ  連結具
２ｋ  キャップ
２′ｋ  突起
２ｍ  開口
２ｐ  頭付き小突起
２ｑ  小孔
３  固定部
３ａ  頂部
３ｂ  アーム
３ｃ  自由端部
Ｆ１ 〜Ｆ５   指
Ｗ    洗濯物
【図１】
0003118925.tif 000003
【図２】
0003118925.tif 000004
【図３】
0003118925.tif 000005
【図４】
0003118925.tif 000006
【図５】
0003118925.tif 000007